(57)【要約】【課題】自動原稿送り装置と画像形成装置本体との直角度を正確に調整することができる自動原稿送り装置及び画像形成装置を提供する。【解決手段】自動原稿送り装置１００は、載置された原稿を所定の画像読取位置まで搬送し、画像読取位置において画像が読み取られた原稿を排出する自動原稿送り部１１１と、本体部２００の上面に配置されたコンタクトガラス１２７に対向する自動原稿送り部１１１の下面に配置され、コンタクトガラス１２７に載置された原稿を押さえる原稿押さえ部１１２とを備え、原稿押さえ部１１２のコンタクトガラス１２７に対向する面には、自動原稿送り装置１００を本体部２００に取り付ける際の直角度を調整するための画像が印刷された調整用フィルムＦが貼り付けられている。【選択図】図１
2009044233.tif 000002
【特許請求の範囲】
【請求項１】
載置された原稿を所定の画像読取位置まで搬送し、前記画像読取位置において画像が読み取られた原稿を排出する自動原稿送り部と、
画像形成装置本体の上面に配置されたコンタクトガラスに対向する前記自動原稿送り部の下面に配置され、前記コンタクトガラスに載置された原稿を押さえる原稿押さえ部とを備え、
前記原稿押さえ部の前記コンタクトガラスに対向する面には、自動原稿送り装置を画像形成装置本体に取り付ける際の直角度を調整するための画像が印刷された調整用フィルムが貼り付けられていることを特徴とする自動原稿送り装置。
【請求項２】
前記調整用フィルムは、前記自動原稿送り部における原稿搬送方向に平行な直線、及び前記原稿搬送方向に直交する直線が印刷されていることを特徴とする請求項１記載の自動原稿送り装置。
【請求項３】
前記調整用フィルムは、前記原稿押さえ部の前記コンタクトガラスに対向する面の全面に貼り付けられていることを特徴とする請求項１又は２記載の自動原稿送り装置。
【請求項４】
請求項１〜３のいずれかに記載の自動原稿送り装置と、
前記原稿押さえ部の前記コンタクトガラスに対向する面に貼り付けられている前記調整用フィルムを読み取る画像読取部と、
前記画像読取部によって読み取られた画像を記録紙に形成する画像形成部と、
前記画像形成部によって画像が形成された記録紙を排出する排出部とを備えることを特徴とする画像形成装置。
【請求項５】
請求項１〜３のいずれかに記載の自動原稿送り装置と、
前記原稿押さえ部の前記コンタクトガラスに対向する面に貼り付けられている前記調整用フィルムを読み取る画像読取部と、
前記画像読取部によって読み取られた画像を表示する表示部とを備えることを特徴とする画像形成装置。
【発明の詳細な説明】
【技術分野】
【０００１】
本発明は、原稿の画像を読み取る画像読取部に原稿束から１枚ずつ原稿を自動的に送り込む自動原稿送り装置、及び自動原稿送り装置を備える画像読取装置に関するものである。
【背景技術】
【０００２】
従来、原稿の画像を読み取る画像読取部に原稿束から１枚ずつ原稿を自動的に送り込む自動原稿送り装置が搭載された複写機やファクシミリ装置等の画像形成装置が広く知られている。この原稿自動送り装置は、画像形成装置の装置本体の上面に設けられたコンタクトガラスを開閉自在に覆う筐体と、筐体の上方に設けられた原稿束を載置する原稿トレイと、原稿トレイに載置された原稿を１枚ずつ繰り出してコンタクトガラス上の画像読取位置まで搬送し、画像読取位置において光学系ユニットによる光学的な読み取り処理で原稿面の画像が読み取られた原稿を排出する自動原稿送り部と、自動原稿送り部に排出された原稿を受ける排紙トレイとを備えている（例えば、特許文献１参照）。
【０００３】
ところで、自動原稿送り装置は、サービスマンによりオプション機器として画像形成装置本体に取り付けられる場合がある。この場合、サービスマンは、画像形成装置の設置先で自動原稿送り装置を画像形成装置本体に取り付ける。自動原稿送り装置を画像形成装置本体に取り付ける際には、取り付け誤差が発生するので、自動原稿送り装置と画像形成装置本体との直角度の調整が必要となる。従来の直角度の調整では、直角度を調整するための調整用原稿が用意され、この調整用原稿が自動原稿送り装置により実際に読み取られ、読み取られた画像が印刷される。サービスマンは、印刷された画像を確認することにより、自動原稿送り装置の取り付け位置を微調整し、自動原稿送り装置と画像形成装置本体との直角度を合わせている。
【特許文献１】特開２００２−２６２０２０号公報
【発明の開示】
【発明が解決しようとする課題】
【０００４】
しかしながら、上記の調整用原稿を用いた直角度の調整では、自動原稿送り装置において調整用原稿を読み取る際に、調整用原稿が斜めに搬送される虞があり、自動原稿送り装置と画像形成装置本体との直角度を正確に調整するのが困難であった。
【０００５】
また、上記特許文献１では、自動原稿送り装置に設けられた光学ユニットの位置決めについては開示されているものの、光学ユニットが設けられていない自動原稿送り装置の画像形成装置本体への取り付けについては開示されていない。
【０００６】
本発明は、上記の問題を解決するためになされたもので、自動原稿送り装置と画像形成装置本体との直角度を正確に調整することができる自動原稿送り装置及び画像形成装置を提供することを目的とするものである。
【課題を解決するための手段】
【０００７】
本発明に係る自動原稿送り装置は、載置された原稿を所定の画像読取位置まで搬送し、前記画像読取位置において画像が読み取られた原稿を排出する自動原稿送り部と、画像形成装置本体の上面に配置されたコンタクトガラスに対向する前記自動原稿送り部の下面に配置され、前記コンタクトガラスに載置された原稿を押さえる原稿押さえ部とを備え、前記原稿押さえ部の前記コンタクトガラスに対向する面には、自動原稿送り装置を画像形成装置本体に取り付ける際の直角度を調整するための画像が印刷された調整用フィルムが貼り付けられている。
【０００８】
この構成によれば、載置された原稿が所定の画像読取位置まで搬送され、画像読取位置において画像が読み取られた原稿が排出される。また、画像形成装置本体の上面に配置されたコンタクトガラスに対向する自動原稿送り部の下面には、コンタクトガラスに載置された原稿を押さえる原稿押さえ部が配置されている。そして、原稿押さえ部のコンタクトガラスに対向する面には、自動原稿送り装置を画像形成装置本体に取り付ける際の直角度を調整するための画像が印刷された調整用フィルムが貼り付けられている。
【０００９】
したがって、自動原稿送り装置を画像形成装置本体に取り付ける際の直角度を調整するための画像が印刷された調整用フィルムが原稿押さえ部のコンタクトガラスに対向する面に貼り付けられており、調整用フィルムが画像形成装置本体で読み取られるので、サービスマンは読み取られた画像を確認することにより、自動原稿送り部の搬送性能のばらつきの影響を受けることなく、自動原稿送り装置と画像形成装置本体との直角度を正確に調整することができる。また、原稿押さえ部のコンタクトガラスに対向する面に貼り付けられている調整用フィルムを直角度の調整後に剥がすことにより、サービスマンが自動原稿送り装置を画像形成装置本体に取り付けている際の原稿押さえ部の汚損を防止することができる。
【００１０】
また、上記の自動原稿送り装置において、前記調整用フィルムは、前記自動原稿送り部における原稿搬送方向に平行な直線、及び前記原稿搬送方向に直交する直線が印刷されていることが好ましい。
【００１１】
この構成によれば、調整用フィルムには、自動原稿送り部における原稿搬送方向に平行な直線、及び原稿搬送方向に直交する直線が印刷されており、この調整用フィルムが画像形成装置本体で読み取られ、読み取られた画像が出力されるので、サービスマンは、自動原稿送り装置と画像形成装置本体との直角度を容易に確認することができ、出力される画像の直線の傾きに応じて取り付け位置を微調整することができる。
【００１２】
また、上記の自動原稿送り装置において、前記調整用フィルムは、前記原稿押さえ部の前記コンタクトガラスに対向する面の全面に貼り付けられていることが好ましい。この構成によれば、調整用フィルムは、原稿押さえ部のコンタクトガラスに対向する面の全面に貼り付けられているので、自動原稿送り装置の取り付け時における原稿押さえ部の汚損を確実に防止することができる。
【００１３】
本発明に係る画像形成装置は、上記のいずれかに記載の自動原稿送り装置と、前記原稿押さえ部の前記コンタクトガラスに対向する面に貼り付けられている前記調整用フィルムを読み取る画像読取部と、前記画像読取部によって読み取られた画像を記録紙に形成する画像形成部と、前記画像形成部によって画像が形成された記録紙を排出する排出部とを備える。
【００１４】
この構成によれば、原稿押さえ部のコンタクトガラスに対向する面に貼り付けられている調整用フィルムが読み取られ、読み取られた画像が記録紙に形成され、画像が形成された記録紙が排出される。したがって、自動原稿送り装置を画像形成装置本体に取り付ける際の直角度を調整するための画像が印刷された調整用フィルムが原稿押さえ部のコンタクトガラスに対向する面に貼り付けられており、調整用フィルムが読み取られ、読み取られた画像が記録紙に形成されるので、サービスマンは記録紙に形成された画像を確認することにより、自動原稿送り部の搬送性能のばらつきの影響を受けることなく、自動原稿送り装置と画像形成装置本体との直角度を正確に調整することができる。また、原稿押さえ部のコンタクトガラスに対向する面に貼り付けられている調整用フィルムを直角度の調整後に剥がすことにより、サービスマンが自動原稿送り装置を画像形成装置本体に取り付けている際の原稿押さえ部の汚損を防止することができる。
【００１５】
本発明に係る画像形成装置は、上記のいずれかに記載の自動原稿送り装置と、前記原稿押さえ部の前記コンタクトガラスに対向する面に貼り付けられている前記調整用フィルムを読み取る画像読取部と、前記画像読取部によって読み取られた画像を表示する表示部とを備える。
【００１６】
この構成によれば、原稿押さえ部のコンタクトガラスに対向する面に貼り付けられている調整用フィルムが読み取られ、読み取られた画像が表示される。したがって、自動原稿送り装置を画像形成装置本体に取り付ける際の直角度を調整するための画像が印刷された調整用フィルムが原稿押さえ部のコンタクトガラスに対向する面に貼り付けられており、調整用フィルムが読み取られ、読み取られた画像が表示されるので、サービスマンは表示される画像を確認することにより、自動原稿送り部の搬送性能のばらつきの影響を受けることなく、自動原稿送り装置と画像形成装置本体との直角度を正確に調整することができる。また、原稿押さえ部のコンタクトガラスに対向する面に貼り付けられている調整用フィルムを直角度の調整後に剥がすことにより、サービスマンが自動原稿送り装置を画像形成装置本体に取り付けている際の原稿押さえ部の汚損を防止することができる。
【発明の効果】
【００１７】
本発明によれば、自動原稿送り装置を画像形成装置本体に取り付ける際の直角度を調整するための画像が印刷された調整用フィルムが原稿押さえ部のコンタクトガラスに対向する面に貼り付けられており、調整用フィルムが画像形成装置本体で読み取られるので、サービスマンは読み取られた画像を確認することにより、自動原稿送り部の搬送性能のばらつきの影響を受けることなく、自動原稿送り装置と画像形成装置本体との直角度を正確に調整することができる。
【発明を実施するための最良の形態】
【００１８】
以下添付図面を参照しながら、本発明の一実施の形態について説明する。尚、以下の実施の形態は、本発明を具体化した一例であって、本発明の技術的範囲を限定する性格のものではない。
【００１９】
図１は、本実施の形態における自動原稿送り装置を画像形成装置に適用したときの、画像形成装置の外観斜視図である。図１に示すように画像形成装置は、本体部２００と、本体部２００の上側に配設された自動原稿送り装置１００と、本体部２００の側面に配設された用紙後処理部３００と、本体部２００の前面に配設された操作パネル部４００とを備えている。
【００２０】
自動原稿送り装置１００は、本体部２００の上面に対して、矢印Ａで示す方向に開閉自在に取り付けられている。また、自動原稿送り装置１００は、本体部２００に対して着脱可能なオプション機器であり、サービスマンなどにより取り付けられる。
【００２１】
操作パネル部４００は、原稿読み取り動作を開始させるスタートキー及びテンキー等を備える操作キー部４０１と、種々の操作画面を表示すると共に、ユーザが種々の操作指令を入力するための種々の操作ボタン等が表示されたタッチパネル４０２とを備えている。本体部２００の上部には、自動原稿送り装置１００によって搬送されてきた原稿の画像を読み取るとともに、読み取り対象の原稿が載置され、載置された原稿の画像を読み取る画像読取部２２０が配設され、本体部２００の下部には、記録紙が収納される３つの給紙カセット２０１が配設されている。
【００２２】
図２は、図１に示す画像形成装置の内部構成を示す図である。自動原稿送り装置１００は、載置された原稿Ｐを所定の画像読取位置ＲＰまで搬送し、画像読取位置ＲＰにおいて画像が読み取られた原稿Ｐを排出する自動原稿送り部１１１と、本体部２００の上面に配置されたコンタクトガラス１２７に対向する自動原稿送り部１１１の下面に配置され、コンタクトガラス１２７に載置された原稿を押さえる原稿押さえ部１１２とを備えている。
【００２３】
自動原稿送り部１１１は、複数枚の原稿Ｐが載置可能な原稿トレイ１１３と、載置された原稿Ｐを１枚ずつピックアップする給紙ローラ対１１４と、ピックアップされた原稿Ｐを画像読取位置ＲＰまで搬送し、かつ、原稿Ｐの斜め送りを規制して原稿先端を整えるレジストローラ対１１５と、画像読取位置ＲＰにおいて画像が読み取られた原稿Ｐを排出する排出ローラ１１６と、排出ローラ１１６によって排出された原稿Ｐが載置可能な排出トレイ１１７とを備える。レジストローラ対１１５の近傍には、原稿Ｐの画像先端の画像読取位置ＲＰへのタイミングを決定する際に用いられるタイミングスイッチ１１８が配設されている。
【００２４】
原稿押さえ部１１２は、コンタクトガラス１２７に接触する白色のシート体と、シート体のコンタクトガラス１２７に対向する面の反対側に配置されたスポンジなどの発泡体とで構成される。発泡体は、自動原稿送り装置１００を閉めたときにシート体をコンタクトガラス１２７へ向けて押し付け、原稿をコンタクトガラス１２７に密着させる。
【００２５】
また、原稿押さえ部１１２のコンタクトガラス１２７に対向する面には、自動原稿送り装置１００を本体部２００に取り付ける際の直角度を調整するための画像が印刷された調整用フィルムＦが貼り付けられている。図１に示すように、調整用フィルムＦは、透明のフィルムに対して、自動原稿送り部１１１における原稿搬送方向に平行な直線、及び原稿搬送方向に直交する直線が印刷されている。調整用フィルムＦは、原稿押さえ部１１２のコンタクトガラス１２７に対向する面の全面に貼り付けられており、容易に剥がすことができる。
【００２６】
画像読取部２２０は、画像読取位置ＲＰの下側に配設された光源１２１と、画像読取位置ＲＰにおける原稿Ｐの反射光をミラー１２２、１２３、１２４及び集光レンズ１２５を介して受光する光ラインセンサ１２６とを備えている。また、画像読取部２２０の上面には、透明かつ平板状のコンタクトガラス１２７が配設されている。コンタクトガラス１２７は、裏向けで載置された原稿の原稿面を読み取るための、自動原稿送り装置１００の平面形状より若干小さい長方形状の載置原稿用コンタクトガラス２２１と、自動原稿送り装置１００によって自動給紙された原稿の原稿面を読み取る前後方向に長尺の細長い自動給紙用コンタクトガラス２２２とを備えている。原稿押さえ部１１２は、載置原稿用コンタクトガラス２２１に対向する位置に配置されている。
【００２７】
原稿トレイ１１３に載置された原稿Ｐを読み取る自動読み取りモードにおいては、光源１２１は、固定状態で給紙ローラ対１１４等によって１枚ずつ搬送される原稿Ｐに対し自動給紙用コンタクトガラス２２２から光を照射し、光ラインセンサ１２６は、その反射光を例えば１ライン単位で読み取る。
【００２８】
また、載置原稿用コンタクトガラス２２１に載置された原稿を読み取る手動読み取りモードにおいては、光源１２１は、原稿Ｐに対し光を照射しつつ、図略のモータによる駆動力を受けて、右方向に一定速度で移動し、光ラインセンサ１２６は、その原稿Ｐからの反射光を例えば１ライン単位で読み取る。なお、光源１２１は、例えば点線で示す光源１２１’の位置まで移動すると、光の照射を停止し、図略のモータによる駆動力を受けて、左方向に一定速度で移動し、実線で示す光源１２１の位置（ホームポジション）に戻される。光ラインセンサ１２６は、ＣＣＤ（Ｃｈａｒｇｅ  Ｃｏｕｐｌｅｄ  Ｄｅｖｉｃｅ）、又は、ＣＩＳ（Ｃｏｎｔａｃｔ  Ｉｍａｇｅ  Ｓｅｎｓｏｒ）等により構成される。
【００２９】
本体部２００は、複数の給紙カセット２０１、複数の給紙ローラ２０２、転写ローラ２０３、感光体ドラム２０４、現像装置２０５、露光装置２０６、定着ローラ２０８、排出口２０９及び排出トレイ２１０等を備える。
【００３０】
感光体ドラム２０４は、矢印方向に回転しながら帯電装置（図示省略）によって一様に帯電される。露光装置２０６は、光ラインセンサ１２６において読み取られた原稿の画像データに基づいて生成された変調信号をレーザ光に変換して出力し、感光体ドラム２０４に静電潜像を形成する。現像装置２０５は、現像剤を感光体ドラム２０４に供給してトナー像を形成する。
【００３１】
一方、給紙ローラ２０２は、記録紙が収納された給紙カセット２０１から記録紙を引き出し、転写ローラ２０３まで給送する。転写ローラ２０３は、搬送された記録紙に感光体ドラム２０４上のトナー像を転写させ、定着ローラ２０８は、転写されたトナー像を加熱して記録紙に定着させる。その後、記録紙は、本体部２００の排出口２０９から用紙後処理部３００に搬入される。また、記録紙は、必要に応じて排出トレイ２１０へも排出される。
【００３２】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００３３】
なお、画像形成部は、給紙カセット２０１、給紙ローラ２０２、転写ローラ２０３、感光体ドラム２０４、現像装置２０５、露光装置２０６、定着ローラ２０８、排出口２０９及び排出トレイ２１０等で構成される。
【００３４】
次に、本実施の形態に係る画像形成装置の直角度調整動作について説明する。自動原稿送り装置１００と本体部２００との直角度が保たれていない場合、自動原稿送り装置１００により正常に原稿が搬送されたとしても、読み取った画像は斜行した状態で印刷されてしまう。そこで、自動原稿送り装置１００を取り付ける際には、自動原稿送り装置１００と本体部２００との直角度の調整が必要となる。なお、自動原稿送り装置１００と本体部２００との直角度とは、自動原稿送り装置１００の原稿搬送方向と、本体部２００の画像読取部２２０が備える光ラインセンサ１２６の主走査方向との直角度を表す。
【００３５】
まず、サービスマンは、自動原稿送り装置１００を本体部２００の上部の画像読取部２２０に取り付ける。このとき、自動原稿送り装置１００は、画像形成装置の奥側に設けられたヒンジを介して本体部２００の上面に取り付けられ、ヒンジを回動軸として上方に回動するように取り付けられる。また、自動原稿送り装置１００と本体部２００との間のヒンジは、ネジにより固定されており、このネジを弛めることにより、自動原稿送り装置１００の取り付け位置を調整することが可能である。
【００３６】
次に、自動原稿送り装置１００を閉じた状態で、操作キー部４０１のスタートキーがサービスマンによって押下される。これにより、画像読取部２２０は、原稿押さえ部１１２のコンタクトガラス１２７に対向する面に貼り付けられている調整用フィルムＦの画像を読み取る。すなわち、光源１２１は、原稿押さえ部１１２の載置原稿用コンタクトガラス２２１に対向する面に貼り付けられている調整用フィルムＦに対し光を照射しつつ、左方向から右方向に一定速度で移動し、光ラインセンサ１２６は、その調整用フィルムＦからの反射光を例えば１ライン単位で読み取る。
【００３７】
次に、感光体ドラム２０４は、矢印方向に回転しながら帯電装置によって一様に帯電される。露光装置２０６は、光ラインセンサ１２６において読み取られた調整用フィルムＦの画像データに基づいて生成された変調信号をレーザ光に変換して出力し、感光体ドラム２０４に静電潜像を形成する。現像装置２０５は、現像剤を感光体ドラム２０４に供給してトナー像を形成する。
【００３８】
次に、転写ローラ２０３は、給紙カセット２０１から搬送された記録紙に感光体ドラム２０４上のトナー像を転写させ、定着ローラ２０８は、転写されたトナー像を加熱して記録紙に定着させる。その後、記録紙は、排出トレイ２１０へ排出される。
【００３９】
このようにして記録紙に形成された調整用フィルムＦの画像を図３に示す。図３は、記録紙に形成された調整用フィルムＦの画像の一例を示す図であり、図３（Ａ）は、自動用紙送り装置１００の原稿搬送方向と、画像読取部２２０において画像データを読み取る光ラインセンサ１２６の主走査方向とが直角であり、直角度が十分に保たれている状態を表す図であり、図３（Ｂ）は、自動用紙送り装置１００の原稿搬送方向と、画像読取部２２０において画像データを読み取る光ラインセンサ１２６の主走査方向とがずれてしまい、直角度が保たれていない状態を表す図である。
【００４０】
図３（Ａ）及び図３（Ｂ）に示すように、記録紙ＰＡ，ＰＢには、原稿押さえ部１１２のコンタクトガラス１２７に対向する面に貼り付けられている調整用フィルムＦの画像ＦＡ，ＦＢが印刷されている。自動原稿送り装置１００における原稿搬送方向と、画像読取部２２０において画像データを読み取る光ラインセンサ１２６の主走査方向との直角度が保たれている場合、図３（Ａ）に示すように、原稿搬送方向に平行な直線Ｌ１は記録紙ＰＡの長手方向の辺に平行であり、原稿搬送方向に直交する直線Ｌ２は記録紙ＰＡの短手方向の辺に平行となる。
【００４１】
一方、自動原稿送り装置１００における原稿搬送方向と、画像読取部２２０において画像データを読み取る光ラインセンサ１２６の主走査方向との直角度が保たれていない場合、図３（Ｂ）に示すように、原稿搬送方向に平行な直線Ｌ１は記録紙ＰＢの長手方向の辺に対して所定の角度で傾き、原稿搬送方向に直交する直線Ｌ２も記録紙ＰＢの短手方向の辺に対して所定の角度で傾くこととなる。
【００４２】
サービスマンは、調整用フィルムＦが印刷された記録紙を確認することにより、自動原稿送り装置１００と本体部２００との直角度が十分に保たれているかを確認することができ、自動原稿送り装置１００と本体部２００との直角度が保たれていない場合、自動原稿送り装置１００の取り付け位置を微調整する。
【００４３】
調整用フィルムＦが印刷された記録紙に基づいて、自動原稿送り装置１００の取り付け位置が微調整され、自動原稿送り装置１００と本体部２００との直角度が十分に保たれた後、サービスマンは、原稿押さえ部１１２のコンタクトガラス１２７に対向する面に貼り付けられている調整用フィルムＦを剥がし、直角度調整動作を終了する。
【００４４】
このように、載置された原稿Ｐが所定の画像読取位置ＲＰまで搬送され、画像読取位置ＲＰにおいて画像が読み取られた原稿Ｐが排出される。また、画像形成装置の本体部２００の上面に配置されたコンタクトガラス１２７に対向する自動原稿送り部１１１の下面には、コンタクトガラス１２７に載置された原稿を押さえる原稿押さえ部１１２が配置されている。そして、原稿押さえ部１１２のコンタクトガラス１２７に対向する面には、自動原稿送り装置１００を画像形成装置の本体部２００に取り付ける際の直角度を調整するための画像が印刷された調整用フィルムＦが貼り付けられている。
【００４５】
したがって、自動原稿送り装置１００を画像形成装置の本体部２００に取り付ける際の直角度を調整するための画像が印刷された調整用フィルムＦが原稿押さえ部１１２のコンタクトガラス１２７に対向する面に貼り付けられており、調整用フィルムＦが画像形成装置の本体部２００で読み取られるので、サービスマンは読み取られた画像を確認することにより、自動原稿送り部１１１の搬送性能のばらつきの影響を受けることなく、自動原稿送り装置１００と画像形成装置の本体部２００との直角度を正確に調整することができる。
【００４６】
また、従来使用していた調整用原稿が不要となり、サービスマンの自動原稿送り装置１００の画像形成装置の本体部２００への取り付け作業を容易にすることができる。
【００４７】
また、原稿押さえ部１１２のコンタクトガラス１２７に対向する面に貼り付けられている調整用フィルムＦは直角度の調整後に剥がされる。したがって、自動原稿送り装置１００を画像形成装置の本体部２００に取り付けている際に、サービスマンが原稿押さえ部１１２を不用意に触れることによる原稿押さえ部１１２の汚損を防止することができる。さらに、調整用フィルムＦが原稿押さえ部１１２のコンタクトガラス１２７に対向する面に貼り付けられているので、サービスマンは原稿押さえ部１１２の汚損を気にすることなく自動原稿送り装置１００を取り付けることができ、作業効率を向上させることができる。
【００４８】
さらに、調整用フィルムＦには、自動原稿送り部１１１における原稿搬送方向に平行な直線、及び原稿搬送方向に直交する直線が印刷されており、この調整用フィルムＦが画像形成装置の本体部２００で読み取られ、読み取られた画像が出力されるので、サービスマンは、自動原稿送り装置１００と画像形成装置の本体部２００との直角度を容易に確認することができ、出力される画像の直線の傾きに応じて取り付け位置を微調整することができる。
【００４９】
さらにまた、調整用フィルムＦは、原稿押さえ部１１２のコンタクトガラス１２７に対向する面の全面に貼り付けられているので、自動原稿送り装置１００の取り付け時における原稿押さえ部１１２の汚損を確実に防止することができる。
【００５０】
なお、本実施の形態では、画像読取部２２０によって読み取られた調整用フィルムＦの画像を記録紙に印刷しているが、本発明は特にこれに限定されず、画像読取部２２０によって読み取られた調整用フィルムＦの画像を表示部（タッチパネル４０２）に表示してもよい。
【００５１】
図４は、操作パネル部に表示される調整用フィルムの画像の一例を示す図である。図４に示すように、操作パネル部４００のタッチパネル４０２には、画像読取部２２０によって読み取られた調整用フィルムＦの画像ＦＣが表示される。なお、調整用フィルムＦの画像ＦＣは、記録紙の大きさに応じた長方形状の表示枠ＤＦ内に表示され、表示枠ＤＦの四辺は、光ラインセンサ１２６の主走査方向及び副走査方向に一致している。そのため、サービスマンは、調整用フィルムＦの画像ＦＣの原稿搬送方向に平行な直線Ｌ１と、表示枠ＤＦの長手方向の辺との傾き具合、及び、調整用フィルムＦの画像ＦＣの原稿搬送方向に直交する直線Ｌ２と、表示枠ＤＦの短手方向の辺との傾き具合を比較することにより、自動原稿送り装置１００と本体部２００との直角度を調整することができる。
【００５２】
また、調整用フィルムＦの画像を記録紙に印刷することなく、自動原稿送り装置１００と本体部２００との直角度を調整することができるので、記録紙の消費を抑えることができる。
【図面の簡単な説明】
【００５３】
【図１】本実施の形態における自動原稿送り装置を画像形成装置に適用したときの、画像形成装置の外観斜視図である。
【図２】図１に示す画像形成装置の内部構成を示す図である。
【図３】記録紙に形成された調整用フィルムの画像の一例を示す図である。
【図４】操作パネル部に表示される調整用フィルムの画像の一例を示す図である。
【符号の説明】
【００５４】
１００    自動原稿送り装置
１１１    自動原稿送り部
１１２    原稿押さえ部
１２７    コンタクトガラス
２００    本体部
２０１    給紙カセット
２２０    画像読取部
２２１    載置原稿用コンタクトガラス
２２２    自動給紙用コンタクトガラス
３００    用紙後処理部
４００    操作パネル部
４０１    操作キー部
４０２    タッチパネル
Ｆ    調整用フィルム
【図１】
2009044233.tif 000003
【図２】
2009044233.tif 000004
【図３】
2009044233.tif 000005
【図４】
2009044233.tif 000006